(57)【要約】      （修正有）【課題】携帯電話アクセサリーにおいて、高フィット感と簡単位置決めのケース・フィルム一体型構造を提供する。【解決手段】背面ケース１１と、上部カバー１２と、を備え、背面ケースに携帯電話収容空洞部が設けられ、上部カバーと背面ケースが係合すると共に携帯電話収容空洞部を包む高フィット感と簡単位置決めのケース・フィルム一体型構造であって、背面ケースに携帯電話を固定するための固定構造が設けられ、固定構造は固定部材を備え、上部カバーに固定部材に嵌合するための逃げ部が設けられ、固定部材と逃げ部が嵌合して第１位置決め構造を形成する。携帯電話を完全に覆うことができるため、携帯電話の全面保護を実現でき、背面ケースと上部カバーの位置決めを実現でき、取り付けに便利であり、背面ケースの落下防止性能を効果的に高めることで、携帯電話の保護を強化できる。【選択図】図１
0003234184.tif 000002
【実用新案登録請求の範囲】
【請求項１】
背面ケースと、上部カバーと、を備え、
前記背面ケースに携帯電話収容空洞部が設けられ、前記上部カバーと前記背面ケースが係合すると共に前記携帯電話収容空洞部を包む高フィット感、簡単位置決めのケース・フィルム一体型構造であって、
前記背面ケースに携帯電話を固定するための固定構造が設けられ、前記固定構造は固定部材を備え、前記上部カバーに前記固定部材に嵌合するための逃げ部が設けられ、前記固定部材と前記逃げ部が嵌合して第１位置決め構造を形成する
ことを特徴とする高フィット感と簡単位置決めのケース・フィルム一体型構造。
【請求項２】
前記背面ケースに位置決め溝が設けられ、前記上部カバーに前記位置決め溝と嵌合するための位置決め突起が設けられ、前記位置決め突起は、前記位置決め溝内に取り付けられることで第２位置決め構造を形成する
請求項１に記載の高フィット感と簡単位置決めのケース・フィルム一体型構造。
【請求項３】
前記背面ケース及び前記上部カバーは、均しくフレーム部を備え、前記背面ケースが底板をさらに備え、前記上部カバーが天板をさらに備え、前記底板が前記背面ケースの前記フレーム部に取り付けられ、前記天板が前記上部カバーの前記フレーム部に取り付けられる
請求項２に記載の高フィット感と簡単位置決めのケース・フィルム一体型構造。
【請求項４】
前記フレーム部に一周のＬ型取付溝が設けられ、前記底板は、前記背面ケースの前記フレーム部の前記Ｌ型取付溝内に設けられ、前記底板と前記背面ケースの前記フレーム部の前記Ｌ型取付溝が面一になり；前記天板は、前記上部カバーの前記フレーム部の前記Ｌ型取付溝内に設けられ、前記天板と前記上部カバーの前記フレーム部の前記Ｌ型取付溝が面一になる
請求項３に記載の高フィット感と簡単位置決めのケース・フィルム一体型構造。
【請求項５】
前記固定部材は、前記背面ケースの前記フレーム部の周縁の全周又は一部を連続的或いは断続的に取り囲んでいる
請求項３に記載の高フィット感と簡単位置決めのケース・フィルム一体型構造。
【請求項６】
前記固定構造は、２つ以上前記の固定部材を備え、前記２つ以上の前記固定部材が前記背面ケースの前記フレーム部に対称的に設けられる
請求項５に記載の高フィット感と簡単位置決めのケース・フィルム一体型構造。
【請求項７】
前記固定部材は、接続部と、固定部と、を備え、前記固定部と前記接続部が一体的に形成され、前記固定部が前記接続部を介して前記背面ケースに固定され、且つ前記固定部が前記背面ケースの前記フレーム部に垂直である
請求項５に記載の高フィット感と簡単位置決めのケース・フィルム一体型構造。
【請求項８】
前記位置決め溝は、前記背面ケースの前記フレーム部に設けられ、且つ背面ケースのフレーム部の全周又は周縁の一部を連続的または断続的に取り囲んでいる
請求項３に記載の高フィット感と簡単位置決めのケース・フィルム一体型構造。
【請求項９】
前記位置決め溝は、２つ以上設けられ、２つ以上の前記位置決め溝が前記底板の左右両側の前記フレーム部に各々対称的に配置される
請求項８に記載の高フィット感と簡単位置決めのケース・フィルム一体型構造。
【請求項１０】
前記背面ケースの前記フレーム部に落下防止突起がさらに設けられ、前記落下防止突起は２つ以上設けられ、且つ２つ以上の落下防止突起が前記背面ケースの前記フレーム部に対称的に配置される
請求項３に記載の高フィット感と簡単位置決めのケース・フィルム一体型構造。
【考案の詳細な説明】
【技術分野】
【０００１】
本考案は、携帯電話アクセサリーの技術分野に関し、特に、高フィット感、簡単位置決めのケース・フィルム一体型構造に関する。
【背景技術】
【０００２】
携帯電話の使用中において、携帯電話を保護する必要があり、従来の携帯電話保護構造としては、主に携帯電話ケース、携帯電話カバー、携帯電話用フィルムが挙げられる。通常、携帯電話ケース及び携帯電話カバーは、携帯電話の背面及び側面しか保護できず、携帯電話用フィルムが携帯電話の画面しか保護できず、単一構造で携帯電話全体を効果的に保護するのを実現できていなかった。
【０００３】
これ故に、携帯電話全体の保護を実現できるオールインクルーシブ携帯電話ケースが市場に出回っている。例えば従来技術における特許文献１では、金属・プラスチック・強化ガラスを組み合わせた保護ケースが開示され、この携帯電話ケースは金属保護カバーのフロントカバーと、保護リアカバーと、を備え、保護リアカバーが金属保護カバーのフロントカバーに係着するよう取り付けられ、金属保護カバーのフロントカバーが金属フレームと、金属前包囲枠と、を備え、金属前包囲枠が金属フレームの上に取り付けられ、保護リアカバーの四隅にコーナーピースが設けられ、３つのコーナーピースに第１係着突起が設けられ、他の１つのコーナーピースの金属フレームに対応する下部に脱着凹溝が設けられ、金属フレームの第１係着突起に対応する位置に第１係着凹溝が設けられる。金属保護カバーのフロントカバーは、前面にあり、保護リアカバーが背面にあり、携帯電話をより堅固に固定する。取り付け時、金属保護カバーのフロントカバーを変形させる必要がないため、より硬い金属材質を用いることができる。保護リアカバーを金属保護カバーのフロントカバーに係着するよう取り付けるのは、堅固に連結でき、係着時係着突起のストロークが短く、大きな摺動隙間を残す必要がなく、金属フレームの一隅に簡単に取り外すための取り外し凹溝に設けられる。
【０００４】
前記保護ケースは、携帯電話の全面保護を実現できるが、背面ケースが携帯電話で単独で使用することができず、上下カバーの取り付けが面倒で、フロントカバーが厚いため、携帯電話画面のタッチ感度が低下する。
【先行技術文献】
【特許文献】
【０００５】
【特許文献１】中国特許番号第２０８０９４６４２Ｕ号
【考案の概要】
【考案が解決しようとする課題】
【０００６】
上記問題点を解決するため、本考案の主な目的は、携帯電話を完全に覆い、携帯電話の全面保護を実現できる高フィット感、簡単位置決めのケース・フィルム一体型構造を提供することである。
【０００７】
本考案の別の目的は、携帯電話ケースとして単独で使用できる高フィット感、簡単位置決めのケース・フィルム一体型構造を提供することである。
【０００８】
本考案の又別の目的は、固定部材が固定及び位置決め機能の両方を持つ高フィット感、簡単位置決めのケース・フィルム一体型構造を提供することである。
【０００９】
本考案の更なる目的は、二重の位置決め効果を備え、上部カバーと背面ケースとの間に取り付けるのに便利である高フィット感、簡単位置決めのケース・フィルム一体型構造を提供することである。
【００１０】
本考案の最終目的は、背面ケースの落下防止性能を効果的に高めることで、携帯電話の保護を強化できる高フィット感、簡単位置決めのケース・フィルム一体型構造を提供することである。
【課題を解決するための手段】
【００１１】
上記目的を達成するために講じた本考案の技術的手段は、次のとおりである。
本考案は、高フィット感、簡単位置決めのケース・フィルム一体型構造を提供する。背面ケースと、上部カバーと、を備え、前記背面ケースに携帯電話収容空洞部が設けられ、前記上部カバーと背面ケースが係合すると共に前記携帯電話収容空洞部を包む高フィット感、簡単位置決めのケース・フィルム一体型構造であって、前記背面ケースに携帯電話を固定するための固定構造が設けられ、前記固定構造は固定部材を備え、前記上部カバーに固定部材に嵌合するための逃げ部が設けられ、前記固定部材と前記逃げ部が嵌合して第１位置決め構造を形成することを特徴とする。
【００１２】
さらに、前記背面ケースに位置決め溝が設けられ、前記上部カバーに前記位置決め溝と嵌合するための位置決め突起が設けられ、前記位置決め突起は、位置決め溝内に取り付けられることで第２位置決め構造を形成する。本考案において、背面ケースと上部カバーの組み合わせは、携帯電話を完全に覆うことで、携帯電話の全面防護を実現できる。次に、背面ケースに固定構造を設け、携帯電話を固定できるようになり、背面ケースを携帯電話ケースとして単独で使用させることで、より持ち運びに便利である。なお、背面ケースに第２位置決め構造を設けることにより、上部カバーの取り付けが便利になる。
【００１３】
さらに、前記背面ケース及び上部カバーは、均しくフレーム部を備え、前記背面ケースが底板をさらに備え、前記上部カバーが天板をさらに備え、前記底板が背面ケースのフレーム部に取り付けられ、前記天板が上部カバーのフレーム部に取り付けられる。前記背面ケースのフレーム部と上部カバーのフレーム部は、前記携帯電話収容空洞部の側面にシームレスに突き合わせられ、背面ケースと上部カバーの境界線を携帯電話の側面に設けることができ、上部カバーが携帯電話の画面に密着しておらず、気泡がある場合、上部カバーを開けて排気すると便利である。
【００１４】
さらに、前記フレーム部に一周のＬ型取付溝が設けられ、前記底板は、背面ケースのフレーム部のＬ型取付溝内に設けられ、底板と背面ケースのフレーム部のＬ型取付溝が面一になり；前記天板は、上部カバーのフレーム部のＬ型取付溝内に設けられ、天板と上部カバーのフレーム部のＬ型取付溝が面一になる。本考案において、天板は、携帯電話用フィルムとして強化ガラスを使用でき、強化ガラスとＬ型取付溝が面一になり、使用過程で天板と携帯電話画面との間の排気に便利で、天板と携帯電話画面との間の密着を実現し、使用者が携帯電話画面を操作するのに便利で、携帯電話のベアメタル感触を最適化し、使用者のユーザーエクスペリエンスを効果的に向上する。
【００１５】
さらに、前記固定部材は、背面ケースのフレーム部の周縁の全周又は一部を連続的或いは断続的に取り囲んでいる。若しくは前記固定構造は、２つ以上の固定部材を備え、前記２つ以上の固定部材が背面ケースのフレーム部に対称的に設けられる。すなわち、具体的構造設計において、固定部材は、背面ケースのフレーム部に対称的に配置されることができ、全体として連続的な固定構造として設けると共に背面ケースのフレーム部の周縁全周を囲んで配置してもよく、１つ或いは複数のセグメントの断続式の固定構造として設けると共に背面ケースのフレーム部の周縁の一部を囲んで配置することもできる。
【００１６】
さらに、前記固定部材は、接続部と、固定部と、を備え、前記固定部と接続部が一体的に形成され、前記固定部が接続部を介して背面ケースに固定され、且つ固定部が背面ケースのフレーム部に垂直である。
【００１７】
さらに、前記固定部は、シート状構造である。
【００１８】
さらに、好ましくは、前記固定部材は、６つ設けられ、このうちの４つの固定部材が背面ケースのフレーム部の四隅に各々配置され、他の２つの固定部材が底板の左右両側のフレーム部の中央に各々設けられる。或いは、前記固定部材は、４つ設けられ、前記４つの固定部材が背面ケースのフレーム部の四隅に各々配置される。
【００１９】
さらに、前記位置決め溝は、背面ケースのフレーム部に設けられる。
【００２０】
さらに、前記位置決め溝は、背面ケースのフレーム部の全周又は周縁の一部を連続的または断続的に取り囲んでいる。或いは前記位置決め溝は、２つ以上設けられ、２つ以上の前記位置決め溝が底板の左右両側のフレーム部に各々対称的に配置される。具体的構造設計において、位置決め溝は、底板の左右両側のフレーム部に対称的に配置されることができ、全体として連続的な固定構造として設けると共に背面ケースのフレーム部の周縁全周を囲んで配置してもよく、１つ或いは複数のセグメントの断続式の固定構造として設けると共に背面ケースのフレーム部の周縁の一部を囲んで配置することもできる。
【００２１】
さらに、前記背面ケースのフレーム部に落下防止突起がさらに設けられ、前記落下防止突起は２つ以上設けられ、且つ２つ以上の落下防止突起が背面ケースのフレーム部に対称的に配置される。
【００２２】
さらに、好ましくは、前記落下防止突起は、６つ設けられ、このうちの４つの落下防止突起が背面ケースのフレーム部の四隅に各々配置され、他の２つの落下防止突起が底板の左右両側のフレーム部に各々設けられる。
【００２３】
さらに、前記背面ケースのフレーム部には、可動ボタンがさらに設けられ、前記可動ボタンの上下両側にボタン連結具が設けられ、前記可動ボタンがボタン連結具を介して背面ケースのフレーム部に連結される。本考案において、可動ボタンの設置を通じて、ボタンは、背面ケースに固定されることがないため、ボタンを押すのに便利である。
【００２４】
さらに、前記背面ケースのフレーム部には、ボタン取付溝がさらに設けられ、前記ボタン取付溝の周囲にテーパ状の構造が設けられる。本考案において、テーパ状の構造はボタンの押圧を容易にすることができる。
【考案の効果】
【００２５】
従来技術と比較して本考案の利点は、次の通りである。
まず、本考案のケース・フィルム一体型構造は、背面ケース及び上部カバーが設けられ、携帯電話を完全に覆うことができるため、携帯電話の全面保護を実現でき；
次に、本考案の背面ケースに携帯電話を収容するための携帯電話収容空洞部が設けられ、背面ケースに固定構造がさらに設けられ、背面ケースを携帯電話ケースとして単独で使用させることができ；
さらに、本考案の固定構造は、携帯電話を固定するために用いられることができ、固定部材が上部カバー上の逃げ部に嵌合して第１位置決め構造を形成でき、上部カバーと背面ケースの取り付け時の位置決めに用いられ、固定部材に固定と位置決め機能の両方を持たせることができ；
なお、本考案の背面ケース及び上部カバーに第２位置決め構造が設けられ、第１位置決め構造と協働して背面ケースと上部カバーの二重位置決め効果を奏することができ、且つ位置決め時、位置決め箇所から携帯電話の上部カバーと携帯電話画面との間から排気させることができ、上部カバーの取り付けと貼合に便利であり；
最後に、本考案の背面ケースに落下防止突起が設けられ、背面ケースの落下防止性能を効果的に高めることで、携帯電話の保護を強化できる。
【図面の簡単な説明】
【００２６】
【図１】実施例１の概略構成図である。
【図２】実施例１内の背面ケースの概略構成図である。
【図３】実施例１内の上部カバーの概略構成図である。
【図４】図２内の部位Ａの部分拡大図である。
【図５】図２内の部位Ｂの部分拡大図である。
【図６】図２内の部位Ｃの部分拡大図である。
【図７】図２内の部位Ｄの部分拡大図である。
【図８】図３内の部位Ｅの部分拡大図である。
【図９】実施例２の概略構成図である。
【図１０】実施例２内の背面ケースの前面図である。
【図１１】実施例２内の背面ケースの側面図である。
【図１２】実施例２内の上部カバーの概略構成図である。
【図１３】図１０内の部位Ｆの部分拡大図である。
【図１４】図１０内の部位Ｇの部分拡大図である。
【図１５】図１１内の部位Ｈの部分拡大図である。
【図１６】図１１内の部位Ｉの部分拡大図である。
【図１７】図１２内の部位Ｊの部分拡大図である。
【考案を実施するための形態】
【００２７】
本考案の目的、技術的手段及び利点をより明確かつ分かりやすくため、以下に図面及び実施例を参照しつつ本考案を詳細に説明する。本明細書に記載の具体的実施例は、本考案を解釈することだけに使われている。
【００２８】
（実施例１）
図１〜８を参照すると、本考案は、高フィット感、簡単位置決めのケース・フィルム一体型構造を提供する。高フィット感、簡単位置決めのケース・フィルム一体型構造は、背面ケース１１と、上部カバー１２と、を備え、前記背面ケース１１に携帯電話収容空洞部１１１が設けられ、前記上部カバー１２と背面ケース１１が係合すると共に前記携帯電話収容空洞部１１１を包み、前記背面ケース１１に携帯電話を固定するための固定構造が設けられ、前記固定構造は固定部材１１４を備え、前記上部カバー１２に固定部材１１４に嵌合するための逃げ部１２３が設けられ、前記固定部材１１４が前記逃げ部１２３内に組み付けられることで第１位置決め構造を形成する。
【００２９】
前記背面ケース１１に位置決め溝１１２が設けられ、前記上部カバー１２に前記位置決め溝１１２と嵌合するための位置決め突起１２１が設けられ、前記位置決め突起１２１は、位置決め溝１１２内に取り付けられることで第２位置決め構造を形成する。本実施例において、背面ケース１１と上部カバー１２の組み合わせは、携帯電話を完全に覆うことで、携帯電話の全面防護を実現できる。次に、背面ケース１１に固定構造を設け、携帯電話を固定できるようになり、背面ケース１１を携帯電話ケースとして単独で使用させることで、より持ち運びに便利である。なお、背面ケース１１に第２位置決め構造を設けることにより、上部カバー１２の取り付けが便利になる。
【００３０】
前記背面ケース１１及び上部カバー１２は、均しくフレーム部１３を備え、前記背面ケース１１が底板１１３をさらに備え、前記上部カバー１２が天板１２２をさらに備え、前記底板１１３が背面ケース１１のフレーム部１３に取り付けられ、前記天板１２２が上部カバー１２のフレーム部１３に取り付けられる。
【００３１】
前記フレーム部１３に一周のＬ型取付溝１３１が設けられ、前記底板１１３は、背面ケース１１のフレーム部１３のＬ型取付溝１３１内に設けられ、底板１１３と背面ケース１１のフレーム部１３のＬ型取付溝１３１が面一になり；前記天板１２２は、上部カバー１２のフレーム部１３のＬ型取付溝１３１内に設けられ、天板１２２と上部カバー１２のフレーム部１３のＬ型取付溝１３１が面一になる。本実施例において、天板１２２は、携帯電話用フィルムとして強化ガラスを使用し、強化ガラスとＬ型取付溝１３１が面一になり、使用過程で天板１２２と携帯電話画面との間の排気に便利で、天板１２２と携帯電話画面との間の密着を実現し、使用者が携帯電話画面を操作するのに便利で、携帯電話のベアメタル感触を最適化し、使用者のユーザーエクスペリエンスを効果的に向上する。
【００３２】
本実施例において、前記固定部材１１４は、６つ設けられ、このうちの４つの固定部材１１４が背面ケース１１のフレーム部１３の四隅に各々配置され、他の２つの固定部材１１４が底板１１３の左右両側のフレーム部１３の中央に各々設けられる。前記固定部材１１４は、接続部１１５と、固定部１１６と、を備え、前記固定部１１６と接続部１１５が一体的に形成され、前記固定部１１６が接続部１１５を介して背面ケース１１に固定され、且つ固定部１１６が背面ケース１１のフレーム部１３に垂直である。本実施例において、前記固定部１１６は、シート状構造である。
【００３３】
本実施例において、前記位置決め溝１１２は、背面ケース１１のフレーム部１３に設けられる。位置決め溝１１２は、２つ設けられ、底板１１３の左右両側のフレーム部１３の中央に各々対称的に配置され、使用時、位置決め突起１２１を位置決め溝１１２内に組み込まれ、次に位置決め溝１１２の両側から同時に排気され、上部カバー１２の取り付けを容易にする。
【００３４】
前記背面ケース１１のフレーム部１３に落下防止突起１１７がさらに設けられ、前記落下防止突起１１７は、６つ設けられ、このうちの４つの落下防止突起１１７が背面ケース１１のフレーム部１３の四隅に各々配置され、他の２つの落下防止突起１１７が底板１１３の左右両側のフレーム部１３に各々設けられる。
【００３５】
前記背面ケース１１のフレーム部１３には、可動ボタン１１８がさらに設けられ、前記可動ボタン１１８の上下両側にボタン連結具１１８１が設けられ、前記可動ボタン１１８がボタン連結具１１８１を介して背面ケース１１のフレーム部１３に連結される。本実施例において、可動ボタン１１８の設置を通じて、ボタンは、背面ケース１１に固定されることがないため、ボタンを押すのに便利である。
【００３６】
前記背面ケース１１のフレーム部１３には、ボタン取付溝１１９がさらに設けられ、前記ボタン取付溝１１９の周囲にテーパ状の構造１１９１が設けられる。本実施例において、テーパ状の構造１１９１はボタンの押圧を容易にすることができる。
【００３７】
本実施例のケース・フィルム一体型構造の使用方法としては、
１、携帯電話を背面ケース１１に取り付け、背面ケース１１のフレーム部１３上の固定部材１１４で携帯電話を固定し；
２、第２位置決め構造で上部カバー１２を背面ケース１１に取り付け；
３、背面ケース１１の中央にある第２位置決め構造を起点として、上下両側に沿って排気し、トップカバーを携帯電話画面に貼合させ、トップカバーと携帯電話画面との間の吸引力を利用して上部カバー１２の固定を実現する。
【００３８】
（実施例２）
図９〜図１７を参照すると、本考案は、高フィット感、簡単位置決めのケース・フィルム一体型構造を提供する。高フィット感、簡単位置決めのケース・フィルム一体型構造は、背面ケース２１と、上部カバー２２と、を備え、前記背面ケース２１に携帯電話収容空洞部２１１が設けられ、前記上部カバー２２と背面ケース２１が係合すると共に前記携帯電話収容空洞部２１１を包み、前記背面ケース２１に携帯電話を固定するための固定構造が設けられ、前記固定構造は固定部材２１４を備え、前記上部カバー２２に固定部材２１４に嵌合するための逃げ部２２３が設けられ、前記固定部材２１４が前記逃げ部２２３内に組み付けられることで第１位置決め構造を形成する。
【００３９】
前記背面ケース２１に位置決め溝２１２が設けられ、前記上部カバー２２に前記位置決め溝２１２と嵌合するための位置決め突起２２１が設けられ、前記位置決め突起２２１は、位置決め溝２１２内に取り付けられることで第２位置決め構造を形成する。本実施例において、背面ケース２１と上部カバー２２の組み合わせは、携帯電話を完全に覆うことで、携帯電話の全面防護を実現できる。次に、背面ケース２１に固定構造を設け、携帯電話を固定できるようになり、背面ケース２１を携帯電話ケースとして単独で使用させることで、より持ち運びに便利である。なお、背面ケース２１に第２位置決め構造を設けることにより、上部カバー２２の取り付けが便利になる。
【００４０】
前記背面ケース２１及び上部カバー２２は、均しくフレーム部２３を備え、前記背面ケース２１が底板２１３をさらに備え、前記上部カバー２２が天板２２２をさらに備え、前記底板２１３が背面ケース２１のフレーム部２３に取り付けられ、前記天板２２２が上部カバー２２のフレーム部２３に取り付けられる。
【００４１】
前記フレーム部２３に一周のＬ型取付溝２３１が設けられ、前記底板２１３は、背面ケース２１のフレーム部２３のＬ型取付溝２３１内に設けられ、底板２１３と背面ケース２１のフレーム部２３のＬ型取付溝２３１が面一になり；前記天板２２２は、上部カバー２２のフレーム部２３のＬ型取付溝２３１内に設けられ、天板２２２と上部カバー２２のフレーム部２３のＬ型取付溝２３１が面一になる。本実施例において、天板２２２は、携帯電話用フィルムとして強化ガラスを使用し、強化ガラスとＬ型取付溝２３１が面一になり、使用過程で天板２２２と携帯電話画面との間の排気に便利で、天板２２２と携帯電話画面との間の密着を実現し、使用者が携帯電話画面を操作するのに便利で、携帯電話のベアメタル感触を最適化し、使用者のユーザーエクスペリエンスを効果的に向上する。
【００４２】
本実施例において、前記固定部材２１４は、４つ設けられ、背面ケース２１のフレーム部２３の四隅に各々配置される。前記固定部材２１４は、接続部２１５と、固定部２１６と、を備え、前記固定部２１６と接続部２１５が一体的に形成され、前記固定部２１６が接続部２１５を介して背面ケース２１に固定され、且つ固定部２１６が背面ケース２１のフレーム部２３に垂直である。本実施例において、前記固定部２１６は、シート状構造である。
【００４３】
本実施例において、前記位置決め溝２１２は、背面ケース２１のフレーム部２３に設けられる。位置決め溝２１２は、２つ設けられ、底板２１３の左右両側のフレーム部２３の端部に各々対称的に配置され、使用時、位置決め突起２２１を位置決め溝２１２内に組み込まれ、次にフレーム部２３の一端から排気され、使用者の利用習慣に近く、操作に便利である。
【００４４】
前記背面ケース２１のフレーム部２３に落下防止突起２１７がさらに設けられ、前記落下防止突起２１７は、４つ設けられ、背面ケース２１のフレーム部２３の四隅に各々配置される。
【００４５】
前記背面ケース２１のフレーム部２３には、可動ボタン２１８がさらに設けられ、前記可動ボタン２１８の上下両側にボタン連結具２１８１が設けられ、前記可動ボタン２１８がボタン連結具２１８１を介して背面ケース２１のフレーム部２３に連結される。本実施例において、可動ボタン２１８の設置を通じて、ボタンは、背面ケース２１に固定されることがないため、ボタンを押すのに便利である。
【００４６】
前記背面ケース２１のフレーム部２３には、ボタン取付溝２１９がさらに設けられ、前記ボタン取付溝２１９の周囲にテーパ状の構造２１９１が設けられる。本実施例において、テーパ状の構造２１９１はボタンの押圧を容易にすることができる。
【００４７】
本実施例のケース・フィルム一体型構造の使用方法としては、
１、携帯電話を背面ケース２１に取り付け、背面ケース２１のフレーム部２３上の固定部材２１４で携帯電話を固定し；
２、第２位置決め構造で上部カバー２２を背面ケース２１に取り付け；
３、背面ケース２１の一端にある第２位置決め構造から排気し、トップカバーを携帯電話画面に貼合させ、トップカバーと携帯電話画面との間の吸引力を利用して上部カバー２２の固定を実現する。
【００４８】
本考案では好ましい実施例を前述の通り開示したが、これらは決して本考案に限定するものではなく、当該技術を熟知する者なら誰でも、本考案の精神と原則を脱しない範囲において種々の改良変更、均等物の置換をなし得る。
【図１】
0003234184.tif 000003
【図２】
0003234184.tif 000004
【図３】
0003234184.tif 000005
【図４】
0003234184.tif 000006
【図５】
0003234184.tif 000007
【図６】
0003234184.tif 000008
【図７】
0003234184.tif 000009
【図８】
0003234184.tif 000010
【図９】
0003234184.tif 000011
【図１０】
0003234184.tif 000012
【図１１】
0003234184.tif 000013
【図１２】
0003234184.tif 000014
【図１３】
0003234184.tif 000015
【図１４】
0003234184.tif 000016
【図１５】
0003234184.tif 000017
【図１６】
0003234184.tif 000018
【図１７】
0003234184.tif 000019